(57)【要約】【課題】部材に貼り易く、部材から引き剥がし易くすること。【解決手段】部材４の平坦部４１に貼られ、一面の一部に粘着部１１を有し、一面の他部に非粘着部１２を有するラベル１において、非粘着部１２の一部を折り曲げ可能なタブ２に形成し、タブ２を平坦部側に折り曲げて、非粘着部１２を平坦部４１から離すことができる、ラベル１、ラベル集合体３、及び使用方法。【選択図】　　　　図１
2004012632.tif 000002
【特許請求の範囲】
【請求項１】
部材の平坦部に貼られ、一面の一部に粘着部を有し、一面の他部に非粘着部を有するラベルにおいて、
非粘着部の一部を折り曲げ可能なタブに形成し、
タブを平坦部側に折り曲げて、非粘着部を平坦部から離すことができることを特徴とする、ラベル。
【請求項２】
請求項１に記載のラベルにおいて、
タブは、非粘着部の内部の一部であり、タブの一部の周囲で、粘着部側に切り目があることを特徴とする、ラベル。
【請求項３】
請求項１に記載のラベルにおいて、
ラベルは、複数枚のシートを重ね合わせて形成されることを特徴とする、ラベル。
【請求項４】
請求項１に記載のラベルを複数枚、１枚の台紙上に貼り、
複数枚のラベルの上面に剥離可能な連結シートを貼ったことを特徴とする、ラベル集合体。
【請求項５】
請求項１に記載のラベルの粘着部を、平坦部に形成された穴を塞ぐように平坦部に貼り、タブを平坦部側に折り曲げることを特徴とする、ラベルの使用方法。
【請求項６】
請求項４に記載のラベル集合体を台紙から剥がし、ラベル集合体を所定の平坦部に貼り、タブを平坦部側に折り曲げ、１枚のラベルと連結シートを共に剥がし、順次、残りのラベルを部材より剥がすことを特徴とする、ラベル集合体の使用方法。
【発明の詳細な説明】
【０００１】
【産業上の利用分野】
本発明は、部材の平坦部に貼られるラベルに関するものである。
【０００２】
【従来の技術】
従来、ポンプなどの部材に穴があり、部材の搬送や組み立て工程でその穴にごみ等が入らないように、穴にラベルを貼っている。このラベルは、一面に粘着部と非粘着部を有し、穴を覆うように粘着部を穴の周囲に付着する。そして、部材を組み立てる際、ラベルを剥がすためにラベルの非粘着部を指で掴んで、ラベルを穴から引き離している。この際、ラベルが部材の平坦部に貼られていると、ラベル全体が平坦部に密着し、ラベルの下に指が係らず、引き離すのに時間を要していた。
【０００３】
【本発明の目的】
＜イ＞本発明は、部材から引き剥がし易いラベルを提供することにある。
＜ロ＞また、本発明は、部材に貼り易いラベル集合体を提供することにある。
＜ハ＞また、本発明は、ラベルの便利な使用方法を提供することにある。
【０００４】
【問題を解決するための手段】
本発明は、部材の平坦部に貼られ、一面の一部に粘着部を有し、一面の他部に非粘着部を有するラベルにおいて、非粘着部の一部を折り曲げ可能なタブに形成し、タブを平坦部側に折り曲げて、非粘着部を平坦部から離すことができることを特徴とする、ラベル、又は、
前記ラベルにおいて、タブは、非粘着部の内部の一部であり、タブの一部の周囲で、粘着部側に切り目があることを特徴とする、ラベル、又は、
前記ラベルにおいて、ラベルは、複数枚のシートを重ね合わせて形成されることを特徴とする、ラベル、又は、
前記ラベルを複数枚、１枚の台紙上に貼り、複数枚のラベルの上面に剥離可能な連結シートを貼ったことを特徴とする、ラベル集合体、又は、
前記ラベルの粘着部を、平坦部に形成された穴を塞ぐように平坦部に貼ることを特徴とする、ラベルの使用方法、又は、
前記ラベル集合体を台紙から剥がし、ラベル集合体を所定の平坦部に貼り、１枚のラベルと連結シートを共に剥がし、順次、残りのラベルを部材より剥がすことを特徴とする、ラベルの使用方法にある。
【０００５】
【発明の実施の形態】
以下、図面を用いて本発明の実施の形態を説明する。
【０００６】
＜イ＞ラベル
ラベル１は、一面の一部が弱粘着性のある粘着部１１と、他部が粘着性のない非粘着部１２を有し、部材４の平坦部４１に貼るものである。ラベル１は、例えば図１（Ａ）に示すように、裏面１４に粘着部１１と非粘着部１２を設け、非粘着部１２にタブ２が形成される。図示していないが、表面１３からラベル１の使用順序や使用方法などが見られるようにしてもよい。ラベル１は、例えば図１（Ｂ）に示すように、ＡＢＳ液圧ポンプなどの部材４の平坦部４１に形成された液圧流路の穴４２に貼り、穴４２に異物が侵入することを防止し、部材４の組立などの際に、穴４２から剥がされる。なお、部材４の平坦部４１とは、ラベル１が剥がれることなく保持され、穴４２を塞げる程度の面状でよく、少しの凹凸や曲面であっても良い。
【０００７】
ラベル１は、例えば図１（Ｃ）に示すように、上面シート１５と下面シート１６のように複数枚のシートを積層して作成する。２枚のシートからなるラベル１の製造例としては、上面シート１５の下面には強粘着層１７を予め形成し、下面シート１６の上面には文字や絵の印刷層１８などのパターン層を形成し、これらを張り合わせて作成する。上面シート１５を透明にして、印刷内容をラベル１の上面に表示する。パターン層を不透明にすれば、表示が見易くなる。シートの間にパターンを配置するので、パターンの剥離や汚れを防止できる。下面シート１６の下面には、弱粘着層１９を形成し、台紙３３に付着させる。弱粘着層１９は、台紙３３から容易に剥離できる。また、ラベル１の一部または全部を透明にすることにより、ラベル１の上方から部材４の貼り付け個所を透視でき、貼り付けの際の位置合せや、貼り付け後の、部材４の状態を知ることができる。
【０００８】
上面シート１５や下面シート１６などのシートは、ポリエチレンテレフタレート（ＰＥＴ）やポリプロピレン（ＰＰ）などのプラスチックフィルム、また、紙などのフィルムが使用できる。これらのフィルムは折り曲げても復元力があり、なかでもＰＥＴやＰＰをシートに用いると、復元力が強いので、折り曲げても復元力で非粘着部１２を平面から離間することができる。複数枚のシートを重ね合わせることにより、１枚のシートより曲げに対する復元力を強くでき、また、調整することができる。
【０００９】
＜ロ＞タブ
タブ２は、図１（Ａ）に示すように、ラベル１の非粘着部１２の一部を切って切り目２１を入れて、ラベル１の裏側や表側に折り曲げることができるものである。ラベル１の粘着部１１を図１（Ｂ）に示すように部材４の平坦部４１の穴４２に貼る。その際、ラベル１の非粘着部１２のタブ２をラベル１の裏側に折り曲げ、タブ２の先端部や周辺が平坦部４１に当たるようにする。これにより、ラベル１の非粘着部１２が平坦部４１から離間するため、指がラベル１に係り易くなり、容易にラベル１を剥がすことができる。
【００１０】
タブ２を形成する切り目２１は、どのような形状でも、向きでも良く、タブ２を折り曲げた際、ラベル１の非粘着部１２が平坦部４１から離間すればよい。特に、図１のように、タブ２が非粘着部１２の内部に形成されるように切り目２１を入れ、切り目２１が粘着部側に向いていると、平坦部４１からの離間を容易にできる。また、切り目２１の形状は、指の先が入り易い形状にすると、タブ２を折れ曲げ易くできる。
【００１１】
＜ハ＞ラベル集合体
ラベル集合体３は、複数のラベル１を１枚の台紙３３に貼り付けたものである。
ラベル集合体３は、例えば図２に示すように、種々のラベル１を１枚の台紙３３に剥離可能に貼ってある。ラベル集合体３において、部材４上の複数の穴４２を個々のラベル１で塞ぐことができるように、予めラベル１の大きさを調整し配置する。即ち、図３に示すように、部材４の穴４２の位置に対応するように、ラベル集合体３の各ラベルの位置を配置する。ラベル１の粘着部側の上面に連結シート３２を配置する。連結シート３２のラベル１側の面には、ラベル１から剥がすことができる弱粘着性を持たせる。この弱粘着は、ラベル１の台紙３３に対する粘着力よりも強くする。
【００１２】
１枚のラベル１を台紙３３から離すと、連結シート３２が付着している他のラベル１を一緒に台紙３３から剥がすことができる。ラベル集合体３の各ラベル１の位置と部材４の穴４２の位置が対応しているので、複数のラベル１を部材４の表面に一度にまとめて貼ることができる。更に、ラベル１に部材４から剥がす順序の記号（例えば、▲１▼〜▲６▼）を付与しておくと、ラベル１を所定個所より正確な順序で剥がすことができる。部材４から最初に剥がすラベル１は、その他のラベル１よりも連結シート３２との粘着面を大きくしておくと、最初に剥がすラベル１といっしょに連結シート３２を剥がすことができる。
【００１３】
タブ２の切り目２１は、ハーフカットでラベル１に切り目２１を入れてもよく、又は、台紙３３まで切り目２１を入れても良い。ラベル相互の境界は、ハーフカットされてカット部３１となる。
【００１４】
＜ニ＞ラベルの使用方法
ラベル１の使用方法は、例えば図１（Ａ）に示すように、ラベル１を台紙３３から剥がす。台紙から剥がしたラベル１を、図１（Ｂ）に示すように、粘着部１１を部材４の穴４２を塞ぐように所定位置に貼る。タブ２を部材４の平坦部４１側に折り曲げる。このように、ラベル１は、単独で部材４の所定位置に順次貼ることができる。
【００１５】
＜ホ＞ラベル集合体の使用方法
ラベル集合体３の使用方法は、例えば図２に示すように、番号▲１▼のラベル１を台紙３３から剥がす。連結シート３２に接続されている番号▲２▼〜▲６▼のラベル１もいっしょに、ラベル集合体３として台紙３３から剥離される。部材４の複数の穴４２に番号▲１▼〜▲６▼のラベル１がそれぞれ合うように、ラベル集合体３を所定位置に貼る。タブ２を部材４の平坦部４１側に折り曲げる。このように複数のラベル１を部材４の所定位置に一度にまとめて貼ることができる。
【００１６】
次に番号▲１▼のラベルを部材４から剥がす。ラベル１は部材４に対し、連結シート３２の弱粘着よりも強く粘着している。部材４に貼られたラベル集合体３から番号▲１▼のラベル１を剥がすと、連結シート３２もいっしょに剥がれ、番号▲２▼〜▲６▼のラベル１は部材４上に残る。これにより、ラベル１を部材４から、作業工程にしたがって順次１枚づつ剥がすことができるようになる。
【００１７】
【発明の効果】
本発明は、次のような効果を得ることができる。
＜イ＞本発明は、部材から引き剥がし易いラベルを提供することができる。
＜ロ＞また、本発明は、部材に貼り易いラベル集合体を提供することができる。＜ハ＞また、本発明は、ラベルの便利な使用方法を提供することができる。
【図面の簡単な説明】
【図１】ラベルの説明図
【図２】ラベル集合体の説明図
【図３】ラベル集合体の使用方法の説明図
【符号の説明】
１・・・ラベル
１１・・粘着部
１２・・非粘着部
１３・・表面
１４・・裏面
１５・・上面シート
１６・・下面シート
１７・・強粘着層
１８・・印刷層
１９・・弱粘着層
２・・・タブ
２１・・切り目
３・・・ラベル集合体
３１・・カット部
３２・・連結シート
３３・・台紙
４・・・部材
４１・・平坦部
４２・・穴
【図１】
2004012632.tif 000003
【図２】
2004012632.tif 000004
【図３】
2004012632.tif 000005